(57)【要約】【課題】  シリンダ（21）が有する環状のシリンダ室（C1，C2）の内部に環状ピストン（22）が収納されて外側シリンダ室（C1）と内側シリンダ室（C2）とが形成されるとともに、シリンダ（21）と環状ピストン（22）とが相対的に偏心回転運動をするように構成され、さらにシリンダ室（C1，C2）がブレード（23）で第１室（C1-Hp，C2-Hp）と第２室（C1-Lp，C2-Lp）に区画された偏心回転形ピストン機構（20）を有する回転式流体機械において、運転時のブレード（23）や環状ピストン（22）の焼き付き及び摩耗を防止し、第１室（C1-Hp，C2-Hp）と第２室（C1-Lp，C2-Lp）との間でのガスの漏れも防止する。【解決手段】  ブレード（23）と環状ピストン（22）とを揺動ブッシュ（27）により相互に可動に連結し、ブレード（23）には環状ピストン（22）及び揺動ブッシュ（27）との接触部に摺動面（P1，P2）を設ける。【選択図】  図２
2006170213.tif 000002
【特許請求の範囲】
【請求項１】
環状のシリンダ室（C1，C2）を有するシリンダ（21）と、該シリンダ（21）に対して偏心してシリンダ室（C1，C2）に収納され、シリンダ室（C1，C2）を外側シリンダ室（C1）と内側シリンダ室（C2）とに区画する環状ピストン（22）と、上記シリンダ室（C1，C2）に配置され、各シリンダ室（C1，C2）を第１室（C1-Hp，C2-Hp）と第２室（C1-Lp，C2-Lp）とに区画するブレード（23）とを有し、シリンダ（21）と環状ピストン（22）とが相対的に偏心回転運動をする偏心回転形ピストン機構（20）と、
該偏心回転形ピストン機構（20）を駆動する駆動機構（30）と、
該偏心回転形ピストン機構（20）を収納するケーシング（10）とを備えた回転式流体機械であって、
上記ブレード（23）がシリンダ（21）に設けられ、
上記環状ピストン（22）とブレード（23）とを相互に可動に連結する連結部材（27）を備え、
上記連結部材（27）は、環状ピストン（22）に対する第１摺動面（P1）と、ブレード（23）に対する第２摺動面（P2）とを備えていることを特徴とする回転式流体機械。
【請求項２】
請求項１に記載の回転式流体機械において、
環状ピストン（22）は、円環の一部分が分断されたＣ型形状に形成され、
ブレード（23）は、環状のシリンダ室（C1，C2）の内周側の壁面から外周側の壁面まで、環状ピストン（22）の分断箇所を挿通して延在するように構成され、
連結部材（27）は、上記ブレード（23）を進退可能に保持するブレード溝（28）と、上記環状ピストン（22）に分断箇所において揺動自在に保持される円弧状外周面とを有する揺動ブッシュ（27）であることを特徴とする回転式流体機械。
【請求項３】
請求項２に記載の回転式流体機械において、
揺動ブッシュ（27）の円弧状外周面の直径寸法が、環状ピストン（22）の壁厚寸法よりも大きいことを特徴とする回転式流体機械。
【請求項４】
請求項２に記載の回転式流体機械において、
揺動ブッシュ（27）の揺動中心が、環状ピストン（22）の壁厚の中心よりも径方向内側に変位していることを特徴とする回転式流体機械。
【請求項５】
請求項１から４のいずれか１に記載の回転式流体機械において、
ケーシング（10）に環状ピストン（22）が固定される一方、
駆動機構（30）にシリンダ（21）が連結されていることを特徴とする回転式流体機械。
【請求項６】
請求項１から４のいずれか１に記載の回転式流体機械において、
ケーシング（10）にシリンダ（21）が固定される一方、
駆動機構（30）に環状ピストン（22）が連結されていることを特徴とする回転式流体機械。
【請求項７】
請求項１から４のいずれか１に記載の回転式流体機械において、
シリンダ（21）は、シリンダ室（C1，C2）を形成する外側シリンダ（24）及び内側シリンダ（25）と、外側シリンダ（24）及び内側シリンダ（25）の軸方向端部に連結された鏡板（26）とを備え、
外側シリンダ（24）、内側シリンダ（25）及び鏡板（26）が一体化されていることを特徴とする回転式流体機械。
【請求項８】
請求項７に記載の回転式流体機械において、
環状ピストン（22）の端面と鏡板（26）との間の軸方向隙間を縮小するコンプライアンス機構（29）を備えていることを特徴とする回転式流体機械。
【請求項９】
請求項１から４のいずれか１に記載の回転式流体機械において、
シリンダ（21）は、シリンダ室（C1，C2）を形成する外側シリンダ（24）及び内側シリンダ（25）を備え、
外側シリンダ（24）、内側シリンダ（25）及びブレード（23）が一体化されていることを特徴とする回転式流体機械。
【請求項１０】
請求項１から４のいずれか１に記載の回転式流体機械において、
駆動機構（30）は、電動機（30）と、該電動機（30）に連結された駆動軸（33）とを備え、
上記駆動軸（33）は回転中心から偏心した偏心部（33a）を備え、該偏心部（33a）がシリンダ（21）または環状ピストン（22）に連結され、
上記駆動軸（33）は、偏心部（33a）の軸方向両側部分が軸受け部（16a，17a）を介してケーシング（10）に保持されていることを特徴とする回転式流体機械。
【請求項１１】
請求項１から４のいずれか１に記載の回転式流体機械において、
環状ピストン（22）の外側に形成される外側シリンダ室（C1）と、該環状ピストン（22）の内側に形成される内側シリンダ室（C2）とは、吸入閉じ切り角度が相違していることを特徴とする回転式流体機械。
【請求項１２】
請求項１１に記載の回転式流体機械において、
外側シリンダ室（C1）の吸入閉じ切り角度が内側シリンダ室（C2）の吸入閉じ切り角度よりも大きいことを特徴とする回転式流体機械。
【請求項１３】
請求項１から４のいずれか１に記載の回転式流体機械において、
偏心回転形ピストン機構（20）の外周に断熱空間（S3）が設けられていることを特徴とする回転式流体機械。
【請求項１４】
請求項１から１３のいずれか１に記載の回転式流体機械において、
偏心回転形ピストン機構（20）が、流体を吸入して圧縮する圧縮機構であることを特徴とする回転式流体機械。
【発明の詳細な説明】
【技術分野】
【０００１】
本発明は、回転式流体機械に関し、特に、シリンダが有する環状のシリンダ室の内部に該シリンダ室を外側シリンダ室と内側シリンダ室とに区画する環状ピストンが配置されるとともに、シリンダと環状ピストンとが相対的に偏心回転運動をするように構成された偏心回転形ピストン機構を有する回転式流体機械に関するものである。
【背景技術】
【０００２】
従来より、環状のシリンダ室の内部で環状ピストンが偏心回転運動をする偏心回転形ピストン機構を備えた回転式流体機械として、環状ピストンの偏心回転運動に伴うシリンダ室の容積変化によって冷媒を圧縮する圧縮機がある（例えば、特許文献１参照）。図１５及び図１６（図１５のXVI−XVI断面図：ハッチング省略）に示すように、この圧縮機（100）では、密閉型のケーシング（110）内に、圧縮機構（偏心回転形ピストン機構）（120）と、該圧縮機構（120）を駆動する電動機（図示せず）とが収納されている。
【０００３】
上記圧縮機構（120）は、環状のシリンダ室（C1，C2）を有するシリンダ（121）と、このシリンダ室（C1，C2）に配置された環状ピストン（122）とを有している。上記シリンダ（121）は、互いに同心上に配置された外側シリンダ（124）と内側シリンダ（125）とを備え、外側シリンダ（124）と内側シリンダ（125）の間に上記シリンダ室（C1，C2）が形成されている。
【０００４】
上記シリンダ（121）はケーシング（110）に固定されている。また、環状ピストン（122）は電動機に連結されている駆動軸（133）の偏心部（133a）に円形のピストンベース（160）を介して連結され、該駆動軸（133）の中心に対して偏心回転運動をするように構成されている。
【０００５】
上記環状ピストン（122）は、外周面の１点が外側シリンダ（124）の内周面に実質的に接する（「実質的に接する」とは、厳密に言うと油膜ができる程度の微細な隙間があるが、その隙間での冷媒の漏れが問題にならない状態をいう）と同時に、それと位相が１８０°異なる位置において内周面の一点が内側シリンダ（125）の外周面に実質的に接する状態を保ちながら、偏心回転運動をするように構成されている。この結果、環状ピストン（122）の外側には外側シリンダ室（C1）が形成され、内側には内側シリンダ室（C2）が形成されている。
【０００６】
上記環状ピストン（122）の外側には外側ブレード（123A）が配置され、内側には外側ブレード（123A）の延長線上に内側ブレード（123B）が配置されている。外側ブレード（123A）は環状ピストン（122）の径方向内側に向かって付勢され、内周端が該環状ピストン（122）の外周面に圧接している。また、内側ブレード（123B）は環状ピストン（122）の径方向外側に向かって付勢され、外周端が該環状ピストン（122）の内周面に圧接している。
【０００７】
外側ブレード（123A）は外側シリンダ室（C1）を２つに区画し、内側ブレード（123B）は内側シリンダ室（C2）を２つに区画している。具体的に、上記外側ブレード（123A）は外側シリンダ室（C1）を高圧室（第１室）（C1-Hp）と低圧室（第２室）（C1-Lp）とに区画し、内側ブレード（123B）は内側シリンダ室（C2）を高圧室（第１室）（C2-Hp）と低圧室（第２室）（C2-Lp）とに区画している。外側シリンダ（124）には、上記ケーシング（110）に設けられる吸入管（114）から外側シリンダ室（C1）に連通する吸入口（141）が外側ブレード（123A）の近傍に形成されている。また、環状ピストン（122）には、該吸入口（141）の近傍に貫通孔（143）が形成され、該貫通孔（143）によって外側シリンダ室（C1）と内側シリンダ室（C2）の低圧室（C1-Lp，C2-Lp）同士が連通している。さらに、上記圧縮機構（120）には、上記両シリンダ室（C1，C2）の高圧室（C1-Hp，C2-Hp）をケーシング（110）内の高圧空間（S）に連通させる吐出口（図示せず）が設けられている。
【０００８】
なお、この例では、環状ピストン（122）の自転を阻止しながら偏心回転運動（公転）のみを許容するため、自転阻止機構としてオルダム機構（161）が設けられている。
【０００９】
この圧縮機構（120）では、駆動軸（133）の回転に伴って上記環状ピストン（122）が偏心回転運動をすると、外側シリンダ室（C1）と内側シリンダ室（C2）のそれぞれで、容積の拡大と縮小が交互に繰り返される。そして、各シリンダ室（C1，C2）の容積が拡大する際には、冷媒を吸入口（141）からシリンダ室（C1，C2）内へ吸入する吸入行程が行われ、容積が縮小する際には、冷媒を各シリンダ室（C1，C2）内で圧縮する圧縮行程と、冷媒を各シリンダ室（C1，C2）から吐出口を介してケーシング（110）内の高圧空間（S）へ吐出する吐出行程が行われる。ケーシング（110）の高圧空間（S）に吐出された高圧の冷媒は、該ケーシング（110）に設けられている吐出管（115）を介して冷媒回路の凝縮器へ流出していく。
【００１０】
一方、上記特許文献１には、図１７に示すように、図１６の構成を一部変更した例も開示されている。この圧縮機構（120）では、環状ピストン（122）を１カ所で分断してＣ型形状とし、１枚のブレード（123）がこの分断箇所を横切って外側シリンダ（124）の内周面と内側シリンダ（125）の外周面とに接している。外側シリンダ（124）の内周面は、上記ブレード（123）の接触する部分が、内側シリンダ（125）の外周面と同じ曲率半径で形成されている。また、環状ピストン（122）が、内側シリンダ（125）の周りで偏心回転運動（公転）はするが、自転はしないように、図示しないオルダム機構が設けられている。環状ピストン（122）の偏心回転運動により、冷媒の吸入行程、圧縮行程、及び吐出行程が行われる点は、図１５及び図１６の例と同様である。
【特許文献１】特開平６−２８８３５８号公報
【発明の開示】
【発明が解決しようとする課題】
【００１１】
しかし、図１５，図１６に示した従来の構成では、ブレード（123A，123B）と環状ピストン（122）とが線接触をし、図１７に示した構成ではブレード（123）とシリンダ（124，125）とが線接触をしているため、運転時に環状ピストン（122）が偏心回転運動をする際に接触部の受ける荷重が大きく、該接触部が摩耗したり、焼き付いたりするおそれがあった。
【００１２】
また、このように部材同士が線接触をしているため、接触部のシール性が低い欠点もある。このため、上記構成では、外側シリンダ室（C1）と内側シリンダ室（C2）のそれぞれで、高圧室（C1-Hp，C2-Hp）から低圧室（C1-Lp，C2-Lp）へ冷媒が漏れることで、圧縮効率が低下するおそれもあった。
【００１３】
なお、以上の例では流体機械として圧縮機について説明したが、上記流体機械が膨張機である場合や、ポンプである場合も、ブレード（123A，123B）（123）と環状ピストン（122）との接触部の摩耗のおそれや、第１室（C1-Hp，C2-Hp）と第２室（C1-Lp，C2-Lp）の間でガスが漏れるおそれはある。
【００１４】
本発明は、このような問題点に鑑みて創案されたものであり、その目的は、シリンダが有する環状のシリンダ室の内部に該シリンダ室を外側シリンダ室と内側シリンダ室とに区画する環状ピストンが配置されるとともに、シリンダと環状ピストンとが相対的に偏心回転運動をするように構成され、さらに該シリンダ室がブレードで第１室と第２室に区画された偏心回転形ピストン機構を有する回転式流体機械において、運転時のブレードや環状ピストンの焼き付き、摩耗を防止するとともに、第１室と第２室の間でのガスの漏れも防止することである。
【課題を解決するための手段】
【００１５】
本発明は、ブレード（23）と環状ピストン（22）とを連結部材（揺動ブッシュ）（27）によって相互に可動に連結することにより、連結箇所において部材同士が面接触をする構成を実現したものである。
【００１６】
具体的に、第１の発明は、環状のシリンダ室（C1，C2）を有するシリンダ（21）と、該シリンダ（21）に対して偏心してシリンダ室（C1，C2）に収納され、シリンダ室（C1，C2）を外側シリンダ室（C1）と内側シリンダ室（C2）とに区画する環状ピストン（22）と、上記シリンダ室（C1，C2）に配置され、各シリンダ室（C1，C2）を第１室（C1-Hp，C2-Hp）と第２室（C1-Lp，C2-Lp）とに区画するブレード（23）とを有し、シリンダ（21）と環状ピストン（22）とが相対的に偏心回転運動をする偏心回転形ピストン機構（20）と、該偏心回転形ピストン機構（20）を駆動する駆動機構（30）と、該偏心回転形ピストン機構（20）を収納するケーシング（10）とを備えた回転式流体機械を前提としている。
【００１７】
そして、この回転式流体機械は、上記ブレード（23）がシリンダ（21）に設けられるとともに、上記環状ピストン（22）とブレード（23）とを相互に可動に連結する連結部材（27）を備え、上記連結部材（27）は、環状ピストン（22）に対する第１摺動面（P1）と、ブレード（23）に対する第２摺動面（P2）とを備えていることを特徴としている。なお、上記構成で言う「環状」には、真円の環状だけでなく、楕円形や卵形の環状も含まれる。
【００１８】
この第１の発明では、偏心回転形ピストン機構（20）を圧縮機構にした場合、該圧縮機構を駆動すると、シリンダ（21）と環状ピストン（22）とが相対的に偏心回転運動をする。この偏心回転運動の際に、環状ピストン（22）とブレード（23）とは、所定の揺動中心で相対的に揺動するとともに、該ブレード（23）の面方向へ相対的に進退する。そして、シリンダ室（C1，C2）の容積が拡大する際にガスが該シリンダ室（C1，C2）に吸入され、該シリンダ室（C1，C2）の容積が縮小する際に該ガスが圧縮される。
【００１９】
この発明では、ブレード（23）と環状ピストン（22）とが、連結部材（27）を介して動作（相対的な揺動動作及び進退動作）をする際に、連結部材（27）は、環状ピストン（22）及びブレード（23）の両方に対して摺動面（P1，P2）で実質的に面接触をする。また、このように部材同士が摺動面（P1，P2）で面接触をするので、その接触箇所に作用する単位面積あたりの荷重を小さくできる。
【００２０】
第２の発明は、第１の発明の回転式流体機械において、環状ピストン（22）が、円環の一部分が分断されたＣ型形状に形成され、ブレード（23）が、環状のシリンダ室（C1，C2）の内周側の壁面から外周側の壁面まで、環状ピストン（22）の分断箇所を挿通して延在するように構成され、連結部材（27）が、上記ブレード（23）を進退可能に保持するブレード溝（28）と、上記環状ピストン（22）に分断箇所において揺動自在に保持される円弧状外周面とを有する揺動ブッシュ（27）であることを特徴としている。
【００２１】
この第２の発明では、偏心回転形ピストン機構（20）を駆動すると、ブレード（23）は揺動ブッシュ（27）のブレード溝（28）内で面接触しながら進退し、該揺動ブッシュ（27）は環状ピストン（22）の分断箇所で面接触しながら揺動する。こうすることで、連結部材（27）が環状ピストン（22）及びブレード（23）に対して確実に面同士で接触し、また、該接触箇所に作用する単位面積あたりの荷重を確実に小さくできる。
【００２２】
第３の発明は、第２の発明の回転式流体機械において、揺動ブッシュ（27）の円弧状外周面の直径寸法が、環状ピストン（22）の壁厚寸法よりも大きいことを特徴としている。この場合、「環状ピストン（22）の壁厚寸法」とは、環状ピストン（22）の外周面の半径寸法と内周面の半径寸法との差を言う。
【００２３】
ここで、環状ピストン（22）が下死点位置にある図４（Ａ）及び上死点位置にある図４（Ｂ）に示すように、揺動ブッシュ（27）の直径寸法（D）が環状ピストン（22）の壁厚寸法（T）と同じであれば、環状ピストン（22）が偏心回転運動をする際のブレード（23）の挙動（図４（Ａ）の仮想線参照）を妨げないように、環状ピストン（22）に切り欠き部（22a）が必要となる。この場合、上記切り欠き部（22a）の中は、第１室としての高圧室（C1-Hp，C2-Hp）での圧縮行程が完了しても高圧ガスが排出されずに残る無効容積（Ds）となる。その結果、この無効容積（Ds）に残留した高圧ガスが次の吸入行程開始時に第２室としての低圧室（C1-Lp，C2-Lp）へ漏れ込んで再膨張し、効率が低下することになってしまう。
【００２４】
一方、上記第３の発明では、環状ピストン（22）が下死点位置にある図５（Ａ）及び上死点位置にある図５（Ｂ）に示すように、揺動ブッシュ（27）の直径寸法（D）を環状ピストン（22）の壁厚寸法（T）よりも大きくしているので、揺動ブッシュ（27）に面取り部（27a）を設けるだけで無効容積（Ds）を小さくできる。
【００２５】
第４の発明は、第２の発明の回転式流体機械において、揺動ブッシュ（27）の揺動中心が、環状ピストン（22）の壁厚の中心よりも径方向内側に変位していることを特徴としている。
【００２６】
ここで、環状ピストン（22）が下死点位置にある図６（Ａ）及び上死点位置にある図６（Ｂ）に示すように、揺動ブッシュ（27）の中心を環状ピストン（22）の壁厚の中心と一致させ、両側に同じ面取り部（27a）を持った対称型の揺動ブッシュ（27）を使うと、環状ピストン（22）の内側に無効容積（Ds）が生じ、再膨張損失が問題となる。逆に言うと、揺動ブッシュ（27）の中心を環状ピストン（22）の壁厚の中心と一致させた場合に再膨張損失を低減しようとすると、組み立て作業の面倒な非対称形状の揺動ブッシュ（27）が必要となる。
【００２７】
これに対し、この第４の発明では、環状ピストン（22）が下死点位置にある図７（Ａ）及び上死点位置にある図７（Ｂ）に示すように、揺動ブッシュ（27）の中心を環状ピストン（22）の壁厚の中心よりも径方向内側に変位させているので、対称型の揺動ブッシュ（27）を使った場合でも無効容積（Ds）を作らずに、簡単に再膨張損失を低減できる。
【００２８】
第５の発明は、第１から第４のいずれか１の発明の回転式流体機械において、ケーシング（10）に環状ピストン（22）が固定される一方、駆動機構（30）にシリンダ（21）が連結されていることを特徴としている。
【００２９】
この第５の発明では、シリンダ室（C1，C2）を有するシリンダ（21）が可動側となり、シリンダ室（C1，C2）内の環状ピストン（22）が固定側となる。このため、シリンダ（21）に一体化されたブレード（23）が、位置が固定された環状ピストン（22）に対して連結部材（27）を介して揺動しながら進退し、偏心回転形ピストン機構（20）の動作が行われる。その動作の際、連結部材（27）は、環状ピストン（22）及びブレード（23）に対して、上記各発明と同様に面接触をする。
【００３０】
第６の発明は、第１から第４のいずれか１の発明の回転式流体機械において、ケーシング（10）にシリンダ（21）が固定される一方、駆動機構（30）に環状ピストン（22）が連結されていることを特徴としている。
【００３１】
この第６の発明では、シリンダ室（C1，C2）を有するシリンダ（21）が固定側となり、シリンダ室（C1，C2）内の環状ピストン（22）が可動側となる。このため、シリンダ（21）に一体化されるとともに位置が固定されたブレード（23）に対して、環状ピストン（22）が連結部材（27）を介して揺動しながら進退し、偏心回転形ピストン機構（20）の動作が行われる。その動作の際、連結部材（27）は、環状ピストン（22）及びブレード（23）に対して、上記各発明と同様に面接触をする。
【００３２】
第７の発明は、第１から第４のいずれか１の発明の回転式流体機械において、シリンダ（21）は、シリンダ室（C1，C2）を形成する外側シリンダ（24）及び内側シリンダ（25）と、外側シリンダ（24）及び内側シリンダ（25）の軸方向端部に連結された鏡板（26）とを備え、外側シリンダ（24）、内側シリンダ（25）及び鏡板（26）が一体化されていることを特徴としている。
【００３３】
この第７の発明では、外側シリンダ（24）と内側シリンダ（25）とが鏡板（26）によって一体化されたシリンダ（21）を用いているので、シリンダ（21）の強度が強くなる。
【００３４】
第８の発明は、第７の発明の回転式流体機械において、環状ピストン（22）の端面と鏡板（26）との間の軸方向隙間を縮小するコンプライアンス機構（29）を備えていることを特徴としている。
【００３５】
この第８の発明では、シリンダ室（C1，C2）内のガスの高圧圧力により生じうる、環状ピストン（22）の端面と鏡板（26）との間の軸方向隙間を、上記コンプライアンス機構（29）によって小さくできる。したがって、この軸方向隙間からのガスの漏れが生じにくくなる。
【００３６】
第９の発明は、第１から第４のいずれか１の発明の回転式流体機械において、シリンダ（21）が、シリンダ室（C1，C2）を形成する外側シリンダ（24）及び内側シリンダ（25）を備え、外側シリンダ（24）、内側シリンダ（25）及びブレード（23）が一体化されていることを特徴としている。
【００３７】
この第９の発明では、外側シリンダ（24）と内側シリンダ（25）とがブレード（23）によって一体化されたシリンダを用いているので、シリンダ（21）の構造を簡素化できる。
【００３８】
第１０の発明は、第１から第４のいずれか１の発明の回転式流体機械において、駆動機構（30）が、電動機（30）と、該電動機（30）に連結された駆動軸（33）とを備え、上記駆動軸（33）は回転中心から偏心した偏心部（33a）を備え、該偏心部（33a）がシリンダ（21）または環状ピストン（22）に連結され、上記駆動軸（33）が、偏心部（33a）の軸方向両側部分が軸受け部（16a，17a）を介してケーシング（10）に保持されていることを特徴としている。
【００３９】
この第１０の発明では、偏心回転形ピストン機構（20）を駆動する駆動軸（33）が、シリンダ（21）及び環状ピストン（22）のうちの可動側に連結される偏心部（33a）の軸方向両側部分で軸受け部（16a，17a）を介してケーシング（10）に保持された状態で回転するので、該偏心回転形ピストン機構（20）の動作が安定する。
【００４０】
第１１の発明は、第１から第４のいずれか１の発明の回転式流体機械において、環状ピストン（22）の外側に形成される外側シリンダ室（C1）と、該環状ピストン（22）の内側に形成される内側シリンダ室（C2）とは、吸入閉じ切り角度が相違していることを特徴としている。ここで、「吸入閉じ切り角度」とは、シリンダ室（C1，C2）において吸入行程が終了する環状ピストン（22）（またはシリンダ（21））の角度のことであり、別の言い方をすれば、圧縮行程が開始される角度のことである。
【００４１】
また、第１２の発明は、第１１の発明の回転式流体機械において、外側シリンダ室（C1）の吸入閉じ切り角度が内側シリンダ室（C2）の吸入閉じ切り角度よりも大きいことを特徴としている。
【００４２】
これら第１１，第１２の発明では、外側シリンダ室（C1）と内側シリンダ室（C2）の吸入閉じ切り角度を相違させ、特に外側シリンダ室（C1）の吸入閉じ切り角度を内側シリンダ室（C2）のそれよりも大きくすることによって、外側シリンダ室（C1）と内側シリンダ室（C2）の圧縮容積の差を小さくすることができる。この圧縮容積の差が大きい場合は、外側シリンダ室（C1）におけるトルク変動の振幅と、外側シリンダ室（C2）におけるトルク変動の振幅との差によって、若干の振動が発生するおそれがあると考えられるが、第１１，第１２の発明では、外側シリンダ室（C1）におけるトルク変動の振幅と、外側シリンダ室（C2）におけるトルク変動の振幅との差が少なくなり、機構（20）の動作が安定する。
【００４３】
第１３の発明は、第１から第４のいずれか１の発明の回転式流体機械において、偏心回転形ピストン機構（20）の外周に断熱空間（S3）が設けられていることを特徴としている。ここで言う断熱空間（S3）は、例えば低圧のガスが滞留する空間のことである。
【００４４】
この第１３の発明では、偏心回転形ピストン機構（20）が例えば圧縮機構（20）である場合に、該圧縮機構（20）に吸入される低圧冷媒に、ケーシング（10）内の高圧空間（S2）の熱が伝達されにくくなるようにすることができる。
【００４５】
第１４の発明は、第１から第１３のいずれか１の発明の回転式流体機械において、偏心回転形ピストン機構（20）が、ガスを吸入して圧縮する圧縮機構であることを特徴としている。
【００４６】
この第１４の発明では、偏心回転形ピストン機構（20）を圧縮機構とした場合に、ガスの漏れによる圧縮効率の低下や、環状ピストン（22）やブレード（23）の摩耗、焼き付きを防止できる。
【発明の効果】
【００４７】
上記第１の発明によれば、偏心回転形ピストン機構（20）の動作の際に、連結部材（27）と環状ピストン（22）及びブレード（23）とが摺動面（P1，P2）で実質的に面接触をするため、その接触箇所に作用する単位面積あたりの荷重を小さくできる。したがって、運転時にブレード（23）と環状ピストン（22）とが連結部材（27）を介して摺動する際に、接触部が摩耗したり、焼き付いたりしにくくなる。また、連結部材（27）が環状ピストン（22）及びブレード（23）に対して摺動面（P1，P2）で面接触することにより、第１室（C1-Hp，C2-Hp）と第２室（C1-Lp，C2-Lp）の間でガスが漏れるのも防止できる。
【００４８】
また、この第１の発明によれば、ブレード（23）をシリンダ（21）に一体的に設けるようにすれば、偏心回転形ピストン機構（20）の動作の際に異常な集中荷重がかかったり、応力集中が起こったりしにくく、機構の信頼性を高められる利点もある。
【００４９】
上記第２の発明によれば、連結部材（27）として、上記ブレード（23）を進退可能に保持するブレード溝（28）と、上記環状ピストン（22）に分断箇所において揺動自在に保持される円弧状外周面とを有する揺動ブッシュ（27）を用いているので、運転時のガスの漏れや、部材の摩耗、焼き付きを確実に防止できるのに加えて、連結部の構造が複雑になることも防止できる。このため、機構の大型化やコスト増加も防止できる。
【００５０】
上記第３の発明によれば、揺動ブッシュ（27）の円弧状外周面の直径寸法（D）を、環状ピストン（22）の壁厚寸法（T）よりも大きくしたことにより、揺動ブッシュ（27）に面取り部（27a）を設けるだけで無効容積（Ds）を小さくできるので、偏心回転形ピストン機構（20）を圧縮機構とする場合の再膨張損失を簡単な構造で低減でき、運転の効率を高められる。したがって、第３の発明によれば、環状ピストン（22）とブレード（23）とを揺動ブッシュ（27）で連結した第２の発明において、揺動ブッシュ（27）を偏心回転形ピストン機構（20）の効率面で特に優れた構成にすることができる。
【００５１】
上記第４の発明によれば、揺動ブッシュ（27）の揺動中心が、環状ピストン（22）の壁厚の中心よりも径方向内側に変位するようにしたことにより、対称型の揺動ブッシュ（27）を使った場合でも再膨張損失を低減できるようにしているので、運転の効率を高められる。したがって、第４の発明によれば、第３の発明と同様に、環状ピストン（22）とブレード（23）とを揺動ブッシュ（27）で連結した第２の発明において、揺動ブッシュ（27）を偏心回転形ピストン機構（20）の効率面で特に優れた構成にすることができる。
【００５２】
また、再膨張損失を低減するために非対称形状の揺動ブッシュ（27）を使わずに、対称型の揺動ブッシュ（27）を用いることができるので、機構の誤組立を避けることも可能となる。
【００５３】
上記第５の発明によれば、シリンダ（21）を可動側とし、環状ピストン（22）を固定側とした構造において、連結部材（27）が環状ピストン（22）及びブレード（23）に対して面接触しながら、環状ピストン（22）に対するシリンダ（22）の動作が行われる。したがって、シリンダ（21）が可動の構造において、ガスの漏れや、部材の摩耗、焼き付きを防止できる。
【００５４】
上記第６の発明によれば、シリンダ（21）を固定側とし、環状ピストン（22）を可動側とした構造において、連結部材（27）が環状ピストン（22）及びブレード（23）に対して面接触しながら、シリンダ（21）に対する環状ピストン（22）の動作が行われる。したがって、環状ピストン（22）が可動の構造において、ガスの漏れや、部材の摩耗、焼き付きを防止できる。
【００５５】
上記第７の発明によれば、外側シリンダ（24）と内側シリンダ（25）とを鏡板（26）によって一体化したシリンダ（21）を用いているので、シリンダ（21）の強度が強くなる。したがって高強度の機構（20）を設計しやすくなる利点がある。
【００５６】
上記第８の発明によれば、環状ピストン（22）の端面と鏡板（26）との間に生じうる軸方向隙間を縮小するコンプライアンス機構（29）を設けたことによって、この軸方向隙間からのガスの漏れが生じにくくなるので、効率の高い運転が可能となる。
【００５７】
上記第９の発明によれば、外側シリンダ（24）と内側シリンダ（25）とをブレード（23）によって一体化したシリンダを用いているので、シリンダ（21）の構造を簡素化できる。このため、コンパクトな設計が可能となる。
【００５８】
上記第１０の発明によれば、偏心回転形ピストン機構（20）を駆動する駆動軸（33）が、シリンダ（21）及び環状ピストン（22）のうちの可動側に連結される偏心部（33a）の軸方向両側部分で軸受け部（16a，17a）を介してケーシング（10）に保持された状態で回転するようにしたことにより、該偏心回転形ピストン機構（20）の動作が安定するので、機構（20）の信頼性が向上する。
【００５９】
上記第１１の発明によれば、外側シリンダ室（C1）と内側シリンダ室（C2）の吸入閉じ切り角度を相違させるようにしているので、外側シリンダ室（C1）と内側シリンダ室（C2）とで圧縮容積の比を調整することが可能となる。
【００６０】
上記第１２の発明によれば、外側シリンダ室（C1）の吸入閉じ切り角度を内側シリンダ室（C2）のそれよりも大きくすることによって、外側シリンダ室（C1）と内側シリンダ室（C2）の圧縮容積の差を小さくすることができるので、外側シリンダ室（C1）におけるトルク変動の振幅と、外側シリンダ室（C2）におけるトルク変動の振幅との差が少なくなり、機構（20）の動作が安定する。
【００６１】
上記第１３の発明によれば、偏心回転形ピストン機構（20）の外周に断熱空間（S3）を設けたことにより、偏心回転形ピストン機構（20）が例えば圧縮機構（20）である場合に、該圧縮機構（20）に吸入される低圧冷媒に、ケーシング（10）内の高圧空間（S2）の熱が伝達されにくくなるようにすることができるので、吸入過熱損による性能低下を防止できる。
【００６２】
上記第１４の発明によれば、偏心回転形ピストン機構（20）を圧縮機構とした場合に、ガスの漏れによる圧縮効率の低下や、環状ピストン（22）やブレード（23）の摩耗、焼き付きを確実に防止できる。
【発明を実施するための最良の形態】
【００６３】
以下、本発明の実施形態を図面に基づいて詳細に説明する。
【００６４】
《発明の実施形態１》
本実施形態は、回転式圧縮機に関するものである。図１に示すように、この圧縮機（1）は、ケーシング（10）内に、圧縮機構（偏心回転形ピストン機構）（20）と電動機（駆動機構）（30）とが収納され、全密閉型に構成されている。上記圧縮機（1）は、例えば、空気調和装置の冷媒回路において、蒸発器から吸入した冷媒を圧縮して、凝縮器へ吐出するために用いられる。
【００６５】
ケーシング（10）は、円筒状の胴部（11）と、この胴部（11）の上端部に固定された上部鏡板（12）と、胴部（11）の下端部に固定された下部鏡板（13）とから構成されている。上部鏡板（12）には、該鏡板（12）を貫通する吸入管（14）が設けられ、胴部（11）には、該胴部（11）を貫通する吐出管（15）が設けられている。
【００６６】
上記圧縮機構（20）は、ケーシング（10）に固定された上部ハウジング（16）と下部ハウジング（17）との間に構成されている。この圧縮機構（20）は、環状のシリンダ室（C1，C2）を有するシリンダ（21）と、該シリンダ室（C1，C2）内に配置された環状ピストン（22）と、図２に示すようにシリンダ室（C1，C2）を第１室である高圧室（圧縮室）（C1-Hp，C2-Hp）と第２室である低圧室（吸入室）（C1-Lp，C2-Lp）とに区画するブレード（23）とを有している。シリンダ（21）と環状ピストン（22）とは、相対的に偏心回転運動をするように構成されている。この実施形態１では、シリンダ室（C1，C2）を有するシリンダ（21）が可動側であり、シリンダ室（C1，C2）内に配置される環状ピストン（22）が固定側である。
【００６７】
電動機（30）は、ステータ（31）とロータ（32）とを備えている。ステータ（31）は、圧縮機構（20）の下方に配置され、ケーシング（10）の胴部（11）に固定されている。ロータ（32）には駆動軸（33）が連結されていて、該駆動軸（33）がロータ（32）とともに回転するように構成されている。駆動軸（33）は、上記シリンダ室（C1，C2）を上下方向に貫通している。
【００６８】
上記駆動軸（33）には、該駆動軸（33）の内部を軸方向にのびる給油路（図示省略）が設けられている。また、駆動軸（33）の下端部には、給油ポンプ（34）が設けられている。そして、上記給油路は、該給油ポンプ（34）から圧縮機構（20）まで上方へのびている。この構成により、ケーシング（10）内の底部に貯まる潤滑油を、この給油ポンプ（34）で上記給油路を通じて圧縮機構（20）の摺動部まで供給するようにしている。
【００６９】
駆動軸（33）には、シリンダ室（C1，C2）の中に位置する部分に偏心部（33a）が形成されている。偏心部（33a）は、該偏心部（33a）の上下の部分よりも大径に形成され、駆動軸（33）の軸心から所定量だけ偏心している。
【００７０】
上記シリンダ（21）は、外側シリンダ（24）及び内側シリンダ（25）を備えている。外側シリンダ（24）と内側シリンダ（25）は、下端部が鏡板（26）で連結されることにより一体化されている。そして、駆動軸（33）の偏心部（33a）に、上記内側シリンダ（25）が摺動自在に嵌め込まれている。
【００７１】
上記環状ピストン（22）は、上部ハウジング（16）と一体的に形成されている。また、上部ハウジング（16）と下部ハウジング（17）には、それぞれ、上記駆動軸（33）を支持するための軸受け部（16a，17a）が形成されている。このように、本実施形態の圧縮機（1）は、上記駆動軸（33）が上記シリンダ室（C1，C2）を上下方向に貫通し、偏心部（33a）の軸方向両側部分が軸受け部（16a，17a）を介してケーシング（10）に保持される貫通軸構造となっている。
【００７２】
上記圧縮機構（20）は、環状ピストン（22）とブレード（23）とを相互に可動に連結する連結部材として、揺動ブッシュ（27）を備えている。環状ピストン（22）は、円環の一部分が分断されたＣ型形状に形成されている。上記ブレード（23）は、シリンダ室（C1，C2）の径方向線上で、シリンダ室（C1，C2）の内周側の壁面（内側シリンダ（25）の外周面）から外周側の壁面（外側シリンダ（24）の内周面）まで、環状ピストン（22）の分断箇所を挿通して延在するように構成され、外側シリンダ（24）及び内側シリンダ（25）に固定されている。そして、揺動ブッシュ（27）は、環状ピストン（22）の分断箇所で該環状ピストン（22）とブレード（23）とを連結している。なお、ブレード（23）は、図２に示すように外側シリンダ（24）及び内側シリンダ（25）と一体的に形成してもよいし、別部材を両シリンダ（24，25）に取り付けてもよい。なお、ブレード（23）は、該ブレード（23）の長手方向に移動するように取り付けてもよい。
【００７３】
外側シリンダ（24）の内周面と内側シリンダ（25）の外周面は、互いに同一中心上に配置された円筒面であり、その間に上記シリンダ室（C1，C2）が形成されている。上記環状ピストン（22）は、外周面が外側シリンダ（24）の内周面よりも小径で、内周面が内側シリンダ（25）の外周面よりも大径に形成されている。このことにより、環状ピストン（22）の外周面と外側シリンダ（24）の内周面との間に外側シリンダ室（C1）が形成され、環状ピストン（22）の内周面と内側シリンダ（25）の外周面との間に内側シリンダ室（C2）が形成されている。
【００７４】
また、環状ピストン（22）とシリンダ（21）は、環状ピストン（22）の外周面と外側シリンダ（24）の内周面とが１点で実質的に接する状態（厳密にはミクロンオーダーの隙間があるが、その隙間での冷媒の漏れが問題にならない状態）において、その接点と位相が１８０°異なる位置で、環状ピストン（22）の内周面と内側シリンダ（25）の外周面とが１点で実質的に接するようになっている。
【００７５】
上記揺動ブッシュ（27）は、ブレード（23）に対して高圧室（C1-Hp，C2-Hp）側に位置する吐出側ブッシュ（27A）と、ブレード（23）に対して低圧室（C1-Lp，C2-Lp）側に位置する吸入側ブッシュ（27B）とから構成されている。吐出側ブッシュ（27A）と吸入側ブッシュ（27B）は、いずれも断面形状が略半円形で同一形状に形成され、フラット面同士が対向するように配置されている。そして、両ブッシュ（27A，27B）の対向面の間のスペースがブレード溝（28）を構成している。
【００７６】
このブレード溝（28）にブレード（23）が挿入され、揺動ブッシュ（27A，27B）のフラット面（第２摺動面（P2）：図２（Ｃ）参照）がブレード（23）と実質的に面接触し、円弧状の外周面（第１摺動面（P1））が環状ピストン（22）と実質的に面接触している。揺動ブッシュ（27A，27B）は、ブレード溝（28）にブレード（23）を挟んだ状態で、ブレード（23）がその面方向にブレード溝（28）内を進退するように構成されている。同時に、揺動ブッシュ（27A，27B）は、環状ピストン（22）に対してブレード（23）と一体的に揺動するように構成されている。したがって、上記揺動ブッシュ（27）は、該揺動ブッシュ（27）の中心点を揺動中心として上記ブレード（23）と環状ピストン（22）とが相対的に揺動可能となり、かつ上記ブレード（23）が環状ピストン（22）に対して該ブレード（23）の面方向へ進退可能となるように構成されている。
【００７７】
なお、この実施形態では両ブッシュ（27A，27B）を別体とした例について説明したが、両ブッシュ（27A，27B）は、一部で連結することにより一体構造としてもよい。
【００７８】
以上の構成において、駆動軸（33）が回転すると、外側シリンダ（24）及び内側シリンダ（25）は、ブレード（23）がブレード溝（28）内を進退しながら、揺動ブッシュ（27）の中心点を揺動中心として揺動する。この揺動動作により、環状ピストン（22）とシリンダ（21）との接触点が図２において（Ａ）図から（Ｄ）図へ順に移動する。このとき、上記外側シリンダ（24）及び内側シリンダ（25）は駆動軸（33）の周りを公転するが、自転はしない。
【００７９】
上部ハウジング（16）には、吸入管（14）の下方の位置に吸入口（41）が形成されている。この吸入口（41）は、内側シリンダ室（C2）から、外側シリンダ（24）の外周に形成されている吸入空間（42）に跨って、長穴状に形成されている。該吸入口（41）は、上部ハウジング（16）をその軸方向に貫通し、シリンダ室（C1，C2）の低圧室（C1-Lp，C2-Lp）及び吸入空間（42）と上部ハウジング（16）の上方の空間（低圧空間（S1））とを連通している。また、外側シリンダ（24）には、上記吸入空間（42）と外側シリンダ室（C1）の低圧室（C1-Lp）とを連通する貫通孔（43）が形成され、環状ピストン（22）には、外側シリンダ室（C1）の低圧室（C1-Lp）と内側シリンダ室（C2）の低圧室（C2-Lp）とを連通する貫通孔（44）が形成されている。
【００８０】
なお、上記外側シリンダ（24）と環状ピストン（22）は、上記吸入口（41）に対応した箇所の上端部を図１に破線で示すように面取りし、くさび形状にするとよい。こうすると、低圧室（C1-Lp，C2-Lp）への冷媒の吸入を効率よく行うことができる。
【００８１】
上部ハウジング（16）には吐出口（45，46）が形成されている。これらの吐出口（45，46）は、それぞれ、上部ハウジング（16）をその軸方向に貫通している。吐出口（45）の下端は外側シリンダ室（C1）の高圧室（C1-Hp）に臨むように開口し、吐出口（46）の下端は内側シリンダ室（C2）の高圧室（C2-Hp）に臨むように開口している。一方、これらの吐出口（45，46）の上端は、該吐出口（45，46）を開閉する吐出弁（リード弁）（47，48）を介して吐出空間（49）に連通している。
【００８２】
この吐出空間（49）は、上部ハウジング（16）とカバープレート（18）との間に形成されている。上部ハウジング（16）及び下部ハウジング（17）には、吐出空間（49）から下部ハウジング（17）の下方の空間（高圧空間（S2））に連通する吐出通路（49a）が形成されている。
【００８３】
一方、上記下部ハウジング（17）には、シールリング（29）が設けられている。このシールリング（29）は、下部ハウジング（17）の環状溝（17b）に装填され、シリンダ（21）の鏡板（26）の下面に圧接している。また、シリンダ（21）と下部ハウジング（17）の接触面には、シールリング（29）の径方向内側部分に高圧の潤滑油が導入されるようになっている。以上のことにより、上記シールリング（29）は、上記潤滑油の圧力を利用して環状ピストン（22）の下端面とシリンダ（21）の鏡板（26）との間の軸方向隙間を縮小するコンプライアンス機構を構成している。
【００８４】
−運転動作−
次に、この圧縮機（1）の運転動作について説明する。
【００８５】
電動機（30）を起動すると、ロータ（32）の回転が駆動軸（33）を介して圧縮機構（20）の外側シリンダ（24）及び内側シリンダ（25）に伝達される。そうすると、ブレード（23）が揺動ブッシュ（27A，27B）の間で往復運動（進退動作）を行い、かつ、ブレード（23）と揺動ブッシュ（27A，27B）が一体的になって、環状ピストン（22）に対して揺動動作を行う。その際、揺動ブッシュ（27A，27B）は、環状ピストン（22）及びブレード（23）に対して摺動面（P1，P2）で実質的に面接触をする。そして、外側シリンダ（24）及び内側シリンダ（25）が環状ピストン（22）に対して揺動しながら公転し、圧縮機構（20）が所定の圧縮動作を行う。
【００８６】
具体的に、外側シリンダ室（C1）では、図２（Ｄ）の状態で低圧室（C1-Lp）の容積がほぼ最小であり、ここから駆動軸（33）が図の右回りに回転して図２（Ａ）、図２（Ｂ）、図２（Ｃ）の状態へ変化するのに伴って該低圧室（C1-Lp）の容積が増大するときに、冷媒が、吸入管（14）、低圧空間（S1）及び吸入口（41）を通って該低圧室（C1-Lp）に吸入される。このとき、冷媒は、吸入口（41）から低圧室（C1-Lp）へ直接吸入されるだけでなく、一部は吸入口（41）から吸入空間（42）へ入り、そこから貫通孔（43）を通って低圧室（C1-Lp）へ吸入される。
【００８７】
駆動軸（33）が一回転して再び図２（Ｄ）の状態になると、上記低圧室（C1-Lp）への冷媒の吸入が完了する。そして、この低圧室（C1-Lp）は今度は冷媒が圧縮される高圧室（C1-Hp）となり、ブレード（23）を隔てて新たな低圧室（C1-Lp）が形成される。駆動軸（33）がさらに回転すると、上記低圧室（C1-Lp）において冷媒の吸入が繰り返される一方、高圧室（C1-Hp）の容積が減少し、該高圧室（C1-Hp）で冷媒が圧縮される。高圧室（C1-Hp）の圧力が所定値となって吐出空間（49）との差圧が設定値に達すると、該高圧室（C1-Hp）の高圧冷媒によって吐出弁（47）が開き、高圧冷媒が吐出空間（49）から吐出通路（49a）を通って高圧空間（S2）へ流出する。
【００８８】
内側シリンダ室（C2）では、図２（Ｂ）の状態で低圧室（C2-Lp）の容積がほぼ最小であり、ここから駆動軸（33）が図の右回りに回転して図２（Ｃ）、図２（Ｄ）、図２（Ａ）の状態へ変化するのに伴って該低圧室（C2-Lp）の容積が増大するときに、冷媒が、吸入管（14）、低圧空間（S1）及び吸入口（41）を通って該低圧室（C2-Lp）に吸入される。このとき、冷媒は、吸入口（41）から低圧室（C2-Lp）へ直接吸入されるだけでなく、一部は吸入口（41）から吸入空間（42）へ入り、そこから貫通孔（43）、外側シリンダ室の低圧室（C1-Lp）、及び貫通孔（44）を通って内側シリンダ室（C2）の低圧室（C2-Lp）へ吸入される。
【００８９】
駆動軸（33）が一回転して再び図２（Ｂ）の状態になると、上記低圧室（C2-Lp）への冷媒の吸入が完了する。そして、この低圧室（C2-Lp）は今度は冷媒が圧縮される高圧室（C2-Hp）となり、ブレード（23）を隔てて新たな低圧室（C2-Lp）が形成される。駆動軸（33）がさらに回転すると、上記低圧室（C2-Lp）において冷媒の吸入が繰り返される一方、高圧室（C2-Hp）の容積が減少し、該高圧室（C2-Hp）で冷媒が圧縮される。高圧室（C2-Hp）の圧力が所定値となって吐出空間（49）との差圧が設定値に達すると、該高圧室（C2-Hp）の高圧冷媒によって吐出弁（48）が開き、高圧冷媒が吐出空間（49）から吐出通路（49a）を通って高圧空間（S2）へ流出する。
【００９０】
このようにして外側シリンダ室（C1）と内側シリンダ室（C2）で圧縮されて高圧空間（S2）へ流出した高圧の冷媒は吐出管（15）から吐出され、冷媒回路で凝縮行程、膨張行程、及び蒸発行程を経た後、再度圧縮機（1）に吸入される。
【００９１】
−実施形態１の効果−
この実施形態１では、環状ピストン（22）とブレード（23）とを連結する連結部材として揺動ブッシュ（27）を設け、この揺動ブッシュ（27）が環状ピストン（22）及びブレード（23）に対して摺動面（P1，P2）で実質的に面接触をするように構成しているので、運転時に環状ピストン（22）やブレード（23）が摩耗したり、その接触部が焼き付いたりするのを防止できる。
【００９２】
また、このように揺動ブッシュ（27）を設け、揺動ブッシュ（27）と環状ピストン（22）及びブレード（23）とが面接触をするようにしているので、接触部のシール性にも優れている。このため、外側シリンダ室（C1）と内側シリンダ室（C2）のそれぞれで、高圧室（C1-Hp，C2-Hp）から低圧室（C1-Lp，C2-Lp）へ冷媒が漏れて圧縮効率が低下するのも防止できる。
【００９３】
さらに、この実施形態の圧縮機（1）によれば、外側シリンダ室（C1）での圧縮動作に伴うトルク変動と内側シリンダ室（C2）での圧縮動作に伴うトルク変動の位相差が１８０°ずれるため、１シリンダ型の圧縮機と比べて、合計のトルクカーブの振幅が小さくなる。この振幅が大きいと圧縮機（1）の振動や騒音が問題となるが、本実施形態ではそのような問題も防止できる。また、騒音が小さな構造のため、防音材も不要となり、コスト低減効果もある。
【００９４】
さらに、圧縮機構を２段に重ねた従前の２シリンダタイプの圧縮機（例えば、特開２０００−１６１２７６号公報参照）では、構成が複雑になり、コストも高くなるが、この実施形態の圧縮機（1）では、１つの圧縮機構（20）に設けた２つのシリンダ室（C1，C2）により上記２シリンダ機と同等の能力を得ることができるうえ、構造も簡素化できるしコストも抑えられる。また、この実施形態では、圧縮機構を２段に重ねた２シリンダ機よりも軸受け間のスパンを短くできるため、駆動軸のたわみが少なくなり、動作が安定する。
【００９５】
さらに、この実施形態の構造によれば、運転条件の変化によって冷媒回路の蒸発器から圧縮機（1）へ液バックが生じた場合に、シリンダ室（C1，C2）の高圧室（C1-Hp，C2-Hp）の高圧圧力が異常に上昇すると、シールリング（29）が変形することでシリンダ（21）が下方へ変位する。こうすることで液冷媒を高圧室（C1-Hp，C2-Hp）から低圧室（C1-Lp，C2-Lp）へ漏らすことができるため、液圧縮も防止できる。その結果、圧縮機構（20）の故障のおそれが少なく、信頼性が向上する。
【００９６】
また、この実施形態１によれば、ブレード（23）がシリンダ（21）に一体的に設けられ、その両端でシリンダ（21）に保持されているので、運転中にブレード（23）に異常な集中荷重がかかったり、応力集中が起こったりしにくい。このため、摺動部が損傷したりしにくく、その点からも機構の信頼性を高められる。
【００９７】
また、図１４〜図１６に示した従来のものでは、環状ピストン（22）を自転させずに偏心回転だけさせるための自転阻止機構としてオルダム機構が用いられているが、本実施形態１では揺動ブッシュ（27）を介して環状ピストン（22）とブレード（23）とを連結すること自体が環状ピストンの自転阻止機構となっており、専用の自転阻止機構が不要であるため、コンパクトな設計が可能となる。
【００９８】
−実施形態１の変形例−
（第１変形例）
実施形態１の第１の変形例を図３に示している。
【００９９】
この変形例は、シリンダ（21）を、鏡板（26）を用いずに構成した例である。具体的には、シリンダ（21）は、外側シリンダ（24）と内側シリンダ（25）とブレード（23）とが一体化されたものになっている。また、この例では、図１に示したシールリング（29）は設けていない。
【０１００】
このように構成すると、シリンダ（21）の構成をより簡素化することができ、圧縮機構（20）の小型化が可能となる。
【０１０１】
なお、その他の構成、作用、効果は実施形態１と同じであるため、具体的な説明は省略する。
【０１０２】
（第２変形例）
第２の変形例は、揺動ブッシュ（27）の円弧状外周面の直径寸法（D）を、環状ピストン（22）の壁厚寸法（T）よりも大きくしたものである。この場合、「環状ピストン（22）の壁厚寸法」とは、環状ピストン（22）の外周面の半径寸法と内周面の半径寸法との差を表している。
【０１０３】
ここで、環状ピストン（22）が下死点位置にあるときの比較例を示す図４（Ａ）及び上死点位置にあるときの該比較例を示す図４（Ｂ）に示すように、揺動ブッシュ（27）の直径寸法（D）が環状ピストン（22）の壁厚寸法（T）と同じであれば、環状ピストン（22）が偏心回転運動をする際のブレード（23）の挙動を妨げないように（図４（Ａ）の仮想線参照）、環状ピストン（22）に切り欠き部（22a）を設けることが必要となる。この場合、上記切り欠き部（22a）の中の空間は、高圧室（C1-Hp，C2-Hp）での圧縮行程が完了しても高圧ガスが排出されずに残る無効容積（Ds）となる。その結果、この無効容積（Ds）に残留した高圧ガスが次の吸入行程開始時に低圧室（C1-Lp，C2-Lp）へ漏れ込んで再膨張し、効率が低下することになってしまう。
【０１０４】
一方、この変形例では、環状ピストン（22）が下死点位置にある図５（Ａ）及び上死点位置にある図５（Ｂ）に示すように、揺動ブッシュ（27）の直径寸法（D）を環状ピストン（22）の壁厚寸法（T）よりも大きくしているので、環状ピストン（22）に面取り部（27a）を設けるだけで無効容積（Ds）を小さくできる。したがって、偏心回転形ピストン機構（20）を圧縮機構とする場合の再膨張損失を低減でき、運転の効率を高められる。
【０１０５】
このように、第２の変形例によれば、環状ピストン（22）とブレード（23）とを揺動ブッシュ（27）で連結した場合に、揺動ブッシュ（27）を圧縮機構（20）の効率面で特に優れた構成にすることができる。
【０１０６】
（第３変形例）
第３の変形例は、揺動ブッシュ（27）の揺動中心を、環状ピストン（22）の壁厚の中心よりも径方向内側に変位させるようにしたものである。
【０１０７】
ここで、環状ピストン（22）が下死点位置にあるときの比較例を示す図６（Ａ）及び上死点位置にあるときの該比較例を示す図６（Ｂ）に示すように、揺動ブッシュ（27）の中心を環状ピストン（22）の壁厚の中心と一致させ、両側に同じ面取り部（27a）を持った対称型の揺動ブッシュ（27）を使うと、環状ピストン（22）の内側に無効容積（Ds）が生じ、再膨張損失が問題となる。逆に言うと、揺動ブッシュ（27）の中心を環状ピストン（22）の壁厚の中心と一致させた場合に再膨張損失を低減しようとすると、環状ピストン（22）の内側のみの上記面取り部（27a）を小さくした、組み立て作業の面倒な非対称形状の揺動ブッシュ（27）が必要となる。
【０１０８】
これに対し、この変形例では、環状ピストン（22）が下死点位置にある図７（Ａ）及び上死点位置にある図７（Ｂ）に示すように、揺動ブッシュ（27）の中心を環状ピストン（22）の壁厚の中心よりも径方向内側に変位させているので、対称型の揺動ブッシュ（27）を使った場合でも、ほとんど無効容積（Ds）を作らないことが可能である。このことにより、簡単に再膨張損失を低減でき、運転の効率を高められる。
【０１０９】
このように、第３の変形例によれば、第２の変形例と同様に、環状ピストン（22）とブレード（23）とを揺動ブッシュ（27）で連結した場合に、揺動ブッシュ（27）を圧縮機構（20）の効率面で特に優れた構成にすることができる。
【０１１０】
また、非対称形状の揺動ブッシュ（27）を使わずに、対称型の揺動ブッシュ（27）を用いても、再膨張損失を低減することができるので、簡単に機構の誤組立を避けることもできる。つまり、非対称形状の揺動ブッシュ（27）を用いた場合には取付の向きを間違えることで誤組立のおそれがあるが、この例では対称形状の揺動ブッシュ（27）を用いているので、誤組立や、誤組立を防止するための面倒な作業が不要となる。
【０１１１】
《発明の実施形態２》
本発明の実施形態２は、ケーシング（10）内での圧縮機構（20）と電動機（30）の配置を実施形態１とは変更した例である。
【０１１２】
この実施形態２では、図８に示すように、圧縮機構（20）をケーシング（10）内の下部に配置し、電動機（30）を上部に配置している。圧縮機構（20）は、ケーシング（10）の下部に固定された上部ハウジング（16）と下部ハウジング（17）の間に構成され、上部ハウジング（16）に環状ピストン（22）が一体的に形成されている。シリンダ（21）は、外側シリンダ（24）と内側シリンダ（25）と鏡板（26）とが一体的に形成されたもので、駆動軸（33）の偏心部（33a）に内側シリンダ（25）が摺動自在に嵌合し、上部ハウジング（16）と下部ハウジング（17）の間に保持されている。また、上部ハウジング（16）と下部ハウジング（17）には、それぞれ、駆動軸（33）を支持する軸受け部（16a，17a）が設けられている。
【０１１３】
上記ケーシング（10）の胴部（11）には吸入管（14）が設けられ、上部鏡板（12）には吐出管（15）が設けられている。また、上部ハウジング（16）には、吸入口（41）を介して上記吸入管（14）と連通する吸入空間（42）と、該吸入空間（42）から外側シリンダ室（C1）の低圧室（C1-Lp）及び内側シリンダ室（C2）の低圧室（C2-Lp）に連通する吸入通路（42a）が形成されている。また、吸入空間（42）は、外側シリンダ（24）の貫通孔（43）を介して外側シリンダ室（C1）の低圧室（C1-Lp）に連通し、さらに環状ピストン（22）の貫通孔（44）を介して内側シリンダ室（C2）の低圧室（C2-Lp）に連通している。
【０１１４】
上部ハウジング（16）には、外側シリンダ室（C1）の吐出口（45）と内側シリンダ室（C2）の吐出口（46）が設けられていて、吐出口（45）に吐出弁（47）が、吐出口（46）に吐出弁（48）が装着されている。
【０１１５】
上部ハウジング（16）には、これら吐出口（45，46）を覆う吐出カバー（消音部材）が設けられている。この吐出カバー（50）と上部ハウジング（16）との間に吐出空間（49）が形成されている。この吐出空間（49）は、吐出カバー（50）の中心部に設けられた開口（50a）を介して該吐出カバー（50）の上方の空間と連通している。
【０１１６】
この実施形態２において、その他の構成は実施形態１と同様である。したがって、上記以外の構成について、ここでは具体的な説明を省略する。
【０１１７】
この実施形態２においても、上記実施形態１と同様に、環状ピストン（22）とブレード（23）とを連結する連結部材として揺動ブッシュ（27）を設け、この揺動ブッシュ（27）が環状ピストン（22）及びブレード（23）に対して摺動面（P1，P2）で実質的に面接触をするように構成している。したがって、運転時に環状ピストン（22）やブレード（23）が摩耗したり、その接触部が焼き付いたりするのを防止できる。
【０１１８】
また、揺動ブッシュ（27）と環状ピストン（22）及びブレード（23）とが面接触をするために、接触部のシール性に優れている点も実施形態１と同様である。このため、外側シリンダ室（C1）と内側シリンダ室（C2）のそれぞれで、高圧室（C1-Hp，C2-Hp）から低圧室（C1-Lp，C2-Lp）へ冷媒が漏れて圧縮効率が低下するのも防止できる。
【０１１９】
その他、合計のトルクカーブの振幅が小さくなることによる低振動化及び低騒音化やコスト低減を初め、従前の２シリンダ機と比較した場合の構造の簡素化、液圧縮の防止など、実施形態１と同様の効果を奏することができる。
【０１２０】
また、この実施形態では圧縮機構（20）をケーシング（10）内の下部に配置し、機構の摺動部が油溜まりの近くに位置するようにしているので、潤滑を容易に行える利点もある。
【０１２１】
《発明の実施形態３》
本発明の実施形態３は、圧縮機構（20）の構造を、実施形態１とは一部変更した例である。
【０１２２】
この実施形態３では、図９に示すように、圧縮機構（20）自体の上下関係を実施形態１とは逆転させるとともに、吸入構造を変更している。具体的に、シリンダ（21）は、外側シリンダ（24）と内側シリンダ（25）とを、その上端において鏡板（26）で連結することにより一体的に構成されている。また、環状ピストン（22）は、下部ハウジング（17）に一体的に形成されている。シールリング（29）は、上部ハウジング（16）に形成された環状溝（16b）に装填され、シリンダ（21）の鏡板（26）の上面に圧接している。
【０１２３】
吸入管（14）はケーシング（10）の胴部（11）に横向きに設けられ、下部ハウジング（17）に該吸入管（14）と連通する吸入口（41）が形成されている。また、下部ハウジング（17）には、吸入口（41）に連通する吸入空間（42）と、該吸入空間（42）から外側シリンダ室（C1）の低圧室（C1-Lp）及び内側シリンダ室（C2）の低圧室（C2-Lp）に連通する吸入通路（42a）とが形成されている。この吸入空間（42）は、外側シリンダ（24）の貫通孔（43）を介して外側シリンダ室（C1）の低圧室（C1-Lp）に連通し、さらに環状ピストン（22）の貫通孔（44）を介して内側シリンダ室（C2）の低圧室（C2-Lp）に連通している。
【０１２４】
吐出口（45，46）は、下部ハウジング（17）に設けられている。そして、外側シリンダ室（C1）の吐出口（45）に吐出弁（47）が、内側シリンダ室（C2）の吐出口（46）に吐出弁（48）が装着されている。また、下部ハウジング（17）の下面にはカバープレート（18）が設けられていて、該下部ハウジング（17）とカバープレート（18）との間に吐出空間（49）が形成されている。この吐出空間（49）は、図示しない吐出通路を介して、圧縮機構（20）の下方の高圧空間（S2）に連通している。
【０１２５】
その他の構成は、実施形態１と同様である。
【０１２６】
この実施形態３においても、上記各実施形態と同様に、環状ピストン（22）とブレード（23）とを連結する連結部材として揺動ブッシュ（27）を設け、この揺動ブッシュ（27）が環状ピストン（22）及びブレード（23）に対して摺動面（P1，P2）で実質的に面接触をするように構成している。したがって、運転時に環状ピストン（22）やブレード（23）が摩耗したり、その接触部が焼き付いたりするのを防止できる。
【０１２７】
また、揺動ブッシュ（27）と環状ピストン（22）及びブレード（23）とが面接触をするために、接触部のシール性に優れている点も上記各実施形態と同様である。このため、外側シリンダ室（C1）と内側シリンダ室（C2）のそれぞれで、高圧室（C1-Hp，C2-Hp）から低圧室（C1-Lp，C2-Lp）へ冷媒が漏れて圧縮効率が低下するのも防止できる。
【０１２８】
さらに、合計のトルクカーブの振幅が小さくなることによる低振動化及び低騒音化やコスト低減を初め、従前の２シリンダ機と比較した場合の構造の簡素化、液圧縮の防止など、上記各実施形態と同様の効果を奏することができる。
【０１２９】
《発明の実施形態４》
本発明の実施形態４は、実施形態１〜３が環状ピストン（22）を固定側にし、シリンダ（21）を可動側にした例であるのに対して、シリンダ（21）を固定側にし、環状ピストン（22）を可動側にした例である。
【０１３０】
この実施形態４では、図１０に示すように、圧縮機構（20）は実施形態１と同様にケーシング（10）内の上部に配置されている。この圧縮機構（20）は、上記各実施形態と同様に、上部ハウジング（16）と下部ハウジング（17）の間に構成されている。
【０１３１】
一方、上記各実施形態とは異なり、上部ハウジング（16）に外側シリンダ（24）と内側シリンダ（25）が設けられている。これらの外側シリンダ（24）と内側シリンダ（25）が上部ハウジング（16）に一体化されてシリンダ（21）が構成されている。
【０１３２】
上部ハウジング（16）と下部ハウジング（17）の間には、環状ピストン（22）が保持されている。この環状ピストン（22）は、鏡板（26）と一体化されている。該鏡板（26）には駆動軸（33）の偏心部（33a）に摺動自在に嵌合するハブ（26a）が設けられている。したがって、この構成では、駆動軸（33）が回転すると、環状ピストン（22）がシリンダ室（C1，C2）内で偏心回転運動をする。なお、ブレード（23）は、上記各実施形態と同様にシリンダ（21）に一体化されている。
【０１３３】
上部ハウジング（16）には、ケーシング（10）内における圧縮機構（20）の上方の低圧空間（S1）から外側シリンダ室（C1）及び内側シリンダ室（C2）に連通する吸入口（41）と、外側シリンダ室（C1）の吐出口（45）及び内側シリンダ室（C2）の吐出口（46）が形成されている。また、上記ハブ（26a）と内側シリンダ（25）との間に上記吸入口（41）と連通する吸入空間（42）が形成され、内側シリンダ（25）に貫通孔（44）が、環状ピストン（22）に貫通孔（43）が形成されている。また、環状ピストン（22）と内側シリンダ（25）の上端部には、吸入口（41）に対応する箇所に破線で示すように面取りをするとよい。
【０１３４】
圧縮機構（20）の上方にはカバープレート（18）が設けられ、上部ハウジング（16）とカバープレート（18）の間に吐出空間（49）が形成されている。この吐出空間は、上部ハウジング（16）と下部ハウジング（17）に形成された吐出通路（49a）を介して、圧縮機構（20）の下方の高圧空間（S2）と連通している。
【０１３５】
この実施形態４においても、上記各実施形態と同様に、環状ピストン（22）とブレード（23）とを連結する連結部材として揺動ブッシュ（27）を設け、この揺動ブッシュ（27）が環状ピストン（22）及びブレード（23）に対して摺動面（P1，P2）で実質的に面接触をするように構成している。したがって、運転時に環状ピストン（22）やブレード（23）が摩耗したり、その接触部が焼き付いたりするのを防止できる。
【０１３６】
また、揺動ブッシュ（27）と環状ピストン（22）及びブレード（23）とが面接触をするために、接触部のシール性に優れている点も上記各実施形態と同様である。このため、外側シリンダ室（C1）と内側シリンダ室（C2）のそれぞれで、高圧室（C1-Hp，C2-Hp）から低圧室（C1-Lp，C2-Lp）へ冷媒が漏れて圧縮効率が低下するのも防止できる。
【０１３７】
さらに、合計のトルクカーブの振幅が小さくなることによる低振動化及び低騒音化やコスト低減を初め、従前の２シリンダ機と比較した場合の構造の簡素化、液圧縮の防止など、上記各実施形態と同様の効果を奏することができる。
【０１３８】
《発明の実施形態５》
本発明の実施形態５は、環状ピストン（22）の外側に形成される外側シリンダ室（C1）と、該環状ピストン（22）の内側に形成される内側シリンダ室（C2）とで、吸入閉じ切り角度が相違するようにした例である。
【０１３９】
この実施形態５では、吸入構造として、既に説明した図８及び図９に示すように、ケーシング（10）の胴部（11）に横向きに取り付けられた吸入管（14）及び吸入空間（42）から、外側シリンダ（24）の貫通孔（43）及び内側シリンダ（25）の貫通孔（44）を介して、外側シリンダ室（C1）と内側シリンダ室（C2）に冷媒が吸入されるものとする。
【０１４０】
そして、図１１に示すように、外側シリンダ（24）の貫通孔（43）が、内側シリンダ（25）の貫通孔（44）よりも周方向に広い範囲に形成され、吸入行程の終了する位置（圧縮行程の開始する位置）が、内側シリンダ室（C2）よりも外側シリンダ室（C1）で遅くなるように構成されている。つまり、外側シリンダ室（C2）の吸入閉じ切り角度が内側シリンダ室（C1）の吸入閉じ切り角度よりも大きくなっている。
【０１４１】
このように構成すると、外側シリンダ室（C1）の圧縮容積を、上記各実施形態に比べて小さくすることができる。こうすることで、環状ピストン（22）の外周側に位置する外側シリンダ室（C1）の圧縮容積と、該環状ピストン（22）の内周側に位置する内側シリンダ室（C2）の容積容積との差を小さくすることが可能となる。したがって、外側シリンダ室での圧縮動作に伴うトルク変動の振幅と、内側シリンダ室（C2）での圧縮動作に伴うトルク変動の振幅との差が少なくなるため、全体としてのトルク変動を上記各実施形態よりもさらに小さくすることが可能となる。このため、低振動化、低騒音化のメリットをさらに向上させることが可能となる。
【０１４２】
なお、その他にも、上記各実施形態と同様の効果を得ることができる。
【０１４３】
《発明の実施形態６》
本発明の実施形態６は、圧縮機構（20）の外周に断熱空間（S3）を設けた例である。
【０１４４】
具体的には、図１２に示すように、上記実施形態１（図１）において外側シリンダ（24）に形成した貫通孔（43）と環状ピストン（22）に形成した貫通孔（44）とを設けずに、外側シリンダ（24）の周囲の空間を低圧の断熱空間（S3）としたものである。つまり、この実施形態６では、実施形態１の吸入空間（42）を低圧冷媒が滞留する断熱空間（S3）として機能させている。
【０１４５】
その他の構成は実施形態１と同様である。
【０１４６】
このように構成すると、圧縮機構（20）に吸入される低圧冷媒に高圧空間（S2）の熱が伝達されにくくなるので、吸入過熱損による性能低下を防止できる。
【０１４７】
《その他の実施形態》
本発明は、上記実施形態について、以下のような構成としてもよい。
【０１４８】
例えば、揺動ブッシュ（27A，27B）を、図１３に示すように構成してもよい。この例では、吐出側ブッシュ（27A）と吸入側ブッシュ（27B）は、幅寸法が互いに異なる形状に形成されている。具体的には、ブレード（23）の中心に対して揺動ブッシュ（27A，27B）の円弧状外周面の中心が吸入側にずれており（吐出側ブッシュ（27A）の円弧状外周面の半径（R1）と吸入側ブッシュ（27B）の円弧状外周面の半径（R2）とは同一寸法である）、吐出側ブッシュ（27A）よりも吸入側ブッシュ（27B）が幅が大きく形成されている。これは、以下の理由による。
【０１４９】
まず、吸入側ブッシュ（27B）の周囲の空間である外側シリンダ室（C1）の低圧室（C1-Lp）と内側シリンダ室（C2）の低圧室（C2-Lp）は、いずれも常に低圧空間であり、両空間（C1-Lp，C2-Lp）の圧力差はほとんど生じない。一方、吐出側ブッシュ（27A）の周囲の空間である外側シリンダ室（C1）の高圧室（C1−Hp）と内側シリンダ室（C2）の高圧室（C2-Hp）は、いずれも低圧から高圧まで圧力が変動するため、両空間（C1-Hp，C2-Hp）の間では相当の圧力差が発生する。このため、高圧側ブッシュ（27A）と環状ピストン（22）の円弧状の接触面には、図の上向きまたは下向きに該高圧側ブッシュ（27A）が圧力を受けることで、荷重が作用する。そこで、高圧側ブッシュ（27A）が大きい場合には上記接触面の荷重が大きくなってしまうが、この例では高圧側ブッシュ（27A）の幅を小さくしているので、該接触面の荷重を抑えることができる。
【０１５０】
また、揺動ブッシュ（27A，27B）は、図１４に示すように構成してもよい。この例では、ブレード（23）の中心と揺動ブッシュ（27A，27B）の円弧状外周面の中心は一致しているが、吐出側ブッシュ（27A）の円弧状外周面の半径（R1）と吸入側ブッシュ（27B）の円弧状外周面の半径（R2）とが相違している。つまり、吐出側ブッシュ（27A）の円弧状外周面の半径（R1）よりも吸入側ブッシュ（27B）の円弧状外周面の半径（R2）を大きくすることで、吐出側ブッシュ（27A）よりも吸入側ブッシュ（27B）の幅を大きくしている。このようにしても、上記と同様の理由により、高圧側ブッシュ（27A）と環状ピストン（22）の円弧状の接触面に作用する荷重を抑えることができる。
【０１５１】
一方、上記各実施形態では、環状ピストン（22）を円環の一部分が分断されたＣ型形状とし、ブレード（23）がその分断箇所を挿通する構成において、環状ピストン（22）とブレード（23）とを揺動ブッシュ（27）を介して連結するようにしているが、逆に環状ピストン（22）を円環とし、ブレード（23）を２つに分断した構成において、環状ピストン（22）とブレード（23）とを相互に可動に連結し、その連結箇所で面接触させるようにしてもよい。この場合でも、面接触をする箇所において、摩耗、焼き付き、ガスの漏れが生じにくくなる。
【０１５２】
また、上記各実施形態では、ブレード（23）がシリンダ室（C1，C2）の径方向線上に位置するように配置しているが、ブレード（23）は、シリンダ室（C1，C2）の径方向線分に対して傾斜した配置にしてもよい。
【０１５３】
さらに、上記各実施形態では、本発明の流体機械として圧縮機について説明したが、本発明は、高圧冷媒などのガスをシリンダ室に導入し、該ガスが膨張することによって回転軸の駆動力を発生させる膨張機にも適用できるし、ポンプにも適用できる。
【０１５４】
また、駆動機構（30）はケーシング（10）の内部に必ずしも収納しなくてもよく、ケーシング（10）の外部から圧縮機構（偏心回転形ピストン機構）（20）を駆動するようにしてもよい。
【０１５５】
なお、以上の実施形態は、本質的に好ましい例示であって、本発明、その適用物、あるいはその用途の範囲を制限することを意図するものではない。
【産業上の利用可能性】
【０１５６】
以上説明したように、本発明は、シリンダ（21）が有する環状のシリンダ室（C1，C2）の内部に該シリンダ室（C1，C2）を外側シリンダ室（C1）と内側シリンダ室（C2）とに区画する環状ピストン（22）が配置されるとともに、シリンダ（21）と環状ピストン（22）とが相対的に偏心回転運動をするように構成され、さらに該シリンダ室（C1，C2）がブレード（23）で第１室（C1-Hp，C2-Hp）と第２室（C1-Lp，C2-Lp）に区画された偏心回転形ピストン機構を有する回転式流体機械について有用である。
【図面の簡単な説明】
【０１５７】
【図１】本発明の実施形態１に係る回転式圧縮機の縦断面図である。
【図２】圧縮機構の動作を示す横断面図である。
【図３】実施形態１の第１の変形例に係る回転式圧縮機の縦断面図である。
【図４】実施形態１の第２の変形例に係る揺動ブッシュの比較例の構造図である。
【図５】実施形態１の第２の変形例に係る揺動ブッシュの構造図である。
【図６】実施形態１の第３の変形例に係る揺動ブッシュの比較例の構造図である。
【図７】実施形態１の第３の変形例に係る揺動ブッシュの構造図である。
【図８】実施形態２に係る回転式圧縮機の縦断面図である。
【図９】実施形態３に係る回転式圧縮機の縦断面図である。
【図１０】実施形態４に係る回転式圧縮機の縦断面図である。
【図１１】実施形態５に係る回転式圧縮機の圧縮機構を示す横断面図である。
【図１２】実施形態６に係る回転式圧縮機の縦断面図である。
【図１３】揺動ブッシュの変形例を示す構造図である。
【図１４】揺動ブッシュの他の変形例を示す構造図である。
【図１５】従来技術に係る回転式圧縮機の部分縦断面図である。
【図１６】図１５のXVI−XVI断面図である。
【図１７】図１６の変形例を示す断面図である。
【符号の説明】
【０１５８】
1       圧縮機
10      ケーシング
16      上部ハウジング
17      下部ハウジング
16a     軸受け部
17a     軸受け部
20      圧縮機構（偏心回転形ピストン機構）
21      シリンダ
22      環状ピストン
23      ブレード
24      外側シリンダ
25      内側シリンダ
26      鏡板
27      揺動ブッシュ（連結部材）
27A     吐出側ブッシュ
27B     吸入側ブッシュ
28      ブレード溝
29      シールリング（コンプライアンス機構）
30      電動機（駆動機構）
33      駆動軸
33a     偏心部
C1      シリンダ室（外側シリンダ室）
C2      シリンダ室（内側シリンダ室）
C1-Hp   高圧室（第１室、圧縮室）
C2-Hp   高圧室（第１室、圧縮室）
C1-Lp   低圧室（第２室、吸入室）
C2-Lp   低圧室（第２室、吸入室）
P1      第１摺動面
P2      第２摺動面
S3      断熱空間
【図１】
2006170213.tif 000003
【図２】
2006170213.tif 000004
【図３】
2006170213.tif 000005
【図４】
2006170213.tif 000006
【図５】
2006170213.tif 000007
【図６】
2006170213.tif 000008
【図７】
2006170213.tif 000009
【図８】
2006170213.tif 000010
【図９】
2006170213.tif 000011
【図１０】
2006170213.tif 000012
【図１１】
2006170213.tif 000013
【図１２】
2006170213.tif 000014
【図１３】
2006170213.tif 000015
【図１４】
2006170213.tif 000016
【図１５】
2006170213.tif 000017
【図１６】
2006170213.tif 000018
【図１７】
2006170213.tif 000019